(57)【要約】【課題】天井板の直下で部屋と部屋とを連通させているような状況の下で、隣の部屋で発生する会話や物音等が此方に聞こえ伝わるのを有効に抑制する。【解決手段】天井板５の下方に配置されフロアを複数の部屋Ｒ１、Ｒ２に区画するとともに天井板５との間に欄間空間７を形成する間仕切１と、天井板５の上方に敷設され間仕切１によって区画される複数の部屋Ｒ１、Ｒ２に対してサウンドマスキング用の音声Ｓを出力するサウンドマスキング用音源２と、天井板５における欄間空間７に対応する部位に設けられ会話や物音等の騒音を吸音する吸音材３とを具備するサウンドマスキング設備を構成した。吸音材３は、天井板５に当たって反射する等して欄間空間７を経由し一の部屋Ｒ１／Ｒ２から他の部屋Ｒ２／Ｒ１へと伝わる騒音を吸音、低減する。これにより、サウンドマスキングシステム単体で用いる場合と比較して、隣の部屋の会話や物音等の了解度が低下する。【選択図】図２
2010031501.tif 000002
【特許請求の範囲】
【請求項１】
天井板の上方または天井板近傍に敷設され、天板の下方に配置された間仕切によって区画されている複数の部屋に対してサウンドマスキング用の音声を出力するサウンドマスキング用音源と、
前記天井板における、当該天井板と前記間仕切との間に形成される欄間空間に対応する部位に設けられ、会話や物音等の騒音を吸音する吸音材と
を具備するサウンドマスキング設備。
【請求項２】
天井板の下方に配置され、フロアを複数の部屋に区画するとともに天井板との間に欄間空間を形成する間仕切と、
前記天井板の上方または天井板近傍に敷設され、前記間仕切によって区画される複数の部屋に対してサウンドマスキング用の音声を出力するサウンドマスキング用音源と、
前記天井板における少なくとも前記欄間空間に対応する部位に設けられ、会話や物音等の騒音を吸音する吸音材と
を具備するサウンドマスキング設備。
【請求項３】
前記間仕切の内部にもサウンドマスキング用音源が実装されている請求項１記載のサウンドマスキング設備。
【請求項４】
前記天井板において、前記欄間空間に対応する部位にのみ吸音材が設けられており、欄間空間から部屋の内方に偏倚した部位に吸音材が設けられていない領域が存在している請求項１、２または３記載のサウンドマスキング設備。
【請求項５】
前記欄間空間に対向した壁に設けられ、会話や物音等の騒音を吸音する吸音材をさらに具備する請求項１、２、３または記載のサウンドマスキング設備。
【発明の詳細な説明】
【技術分野】
【０００１】
本発明は、フロアを複数の部屋に区画して使用する際に、隣の部屋の会話や物音等が此方に聞こえ伝わるのを抑制するサウンドマスキング設備に関する。
【背景技術】
【０００２】
オフィスビル等にあって、フロアを間仕切によって複数の部屋に区画することはしばしば行われており、そのための間仕切も各種市場に流通している。例えば、下記非特許文献１に記載の間仕切は、複数の部屋で照明灯を共用するべく、最上部に透明なガラス板またはアクリル板を嵌め込むことのできる欄間を設けているものである。この間仕切を用いるにあたり、複数の部屋で空調装置や防火用スプリンクラ等をも共用したい場合には、欄間に透明板を嵌め込まずこれを開通させておけばよい。
【０００３】
欄間を介して部屋と部屋とを連通させていると、隣接する部屋間で会話や物音が漏れ伝わりやすくなり、それがうるさく感じられたり、あるいは、プライバシーまたは情報セキュリティの防護に差し障ったりするおそれがある。このような問題を緩和ないし解消するための手段として、マスキング効果及びカクテルパーティ効果を応用したサウンドマスキングシステムが開発されている。下記非特許文献２に記載のシステムは、部屋の天井裏に数ｍ間隔で設置したスピーカからピンクノイズやホワイトノイズ等のマスキング音を放射して騒音をマスキングするものである。
【非特許文献１】“プランナーウォールＡＰシリーズ”，コクヨ総合カタログ２００８年版ファニチャー編，コクヨ株式会社，平成１９年１２月，ｐ．２３１
【非特許文献２】“サウンドマスキングシステム”，コクヨ総合カタログ２００８年版ファニチャー編，コクヨ株式会社，平成１９年１２月，ｐ．２２３
【発明の開示】
【発明が解決しようとする課題】
【０００４】
しかしながら、上掲のサウンドマスキングシステムを採用したとしても、なおその効果が不十分であることがある。
【０００５】
本発明は、天井板の直下で部屋と部屋とを連通させているような状況の下で、隣の部屋で発生する会話や物音等が此方に聞こえ伝わるのを有効に抑制することを所期の目的としている。
【課題を解決するための手段】
【０００６】
本発明では、天井板の上方または天井板近傍に敷設され天板の下方に配置された間仕切によって区画されている複数の部屋に対してサウンドマスキング用の音声を出力するサウンドマスキング用音源と、前記天井板における当該天井板と前記間仕切との間に形成される欄間空間に対応する部位に設けられ会話や物音等の騒音を吸音する吸音材とを具備するサウンドマスキング設備を構成した。ここで、間仕切とは、全高が天井近傍に達するハイパーティション、全高が天井よりも低いローパーティションの双方を包括した概念である。また、欄間空間とは、一の部屋を他の部屋から遮蔽する間仕切の面板の上縁と天井板との間に存在してそれら部屋同士を連通する空間をいう。ハイパーティションの最上部の面板を取り外して開通させた欄間、ローパーティションの上縁と天井板との間の空隙は、ともに欄間空間である。
【０００７】
本発明によれば、天井板に当たって反射する等して欄間空間を経由し一の部屋から他の部屋へと伝わる騒音を吸音、低減することができる。従って、サウンドマスキングシステム単体で用いる場合と比較して、隣の部屋の会話や物音等の了解度がより低下する。
【０００８】
吸音材は、騒音だけでなくマスキング音をも吸音し得る。であるから、前記天井板において、前記欄間空間に対応する部位にのみ吸音材が設けられており、欄間空間から部屋の内方に偏倚した部位に吸音材が設けられていない領域が存在していることが好ましい。さすれば、マスキング音が当該領域を通過して部屋に伝搬することができ、吸音材の存在によるサウンドマスキング効果の損失が回避される。これにより、音源から出力するマスキング音のパワーが高くなくとも、十分なサウンドマスキング効果を得られる。
【０００９】
前記間仕切の内部にもサウンドマスキング用音源が実装されていれば、部屋の内におけるサウンドマスキング効果が補強される。
【００１０】
並びに、前記欄間空間に対向した壁に設けられ会話や物音等の騒音を吸音する吸音材をさらに具備していれば、欄間空間を通過した騒音をこの吸音材によって吸音でき、隣の部屋の会話や物音等の了解度がさらに低下する。
【発明の効果】
【００１１】
本発明によれば、天井板の直下で部屋と部屋とを連通させているような状況の下で、隣の部屋で発生する会話や物音等が此方に聞こえ伝わるのを有効に抑制することができる。
【発明を実施するための最良の形態】
【００１２】
以下、本発明の実施の形態を、図面を参照して説明する。図１及び図２に示すように、本実施形態のサウンドマスキング設備は、天井板５の下方に配置されフロアを複数の部屋Ｒ１、Ｒ２に区画するとともに天井板５との間に欄間空間７を形成する間仕切１と、天井板５の上方即ち天井裏に敷設され間仕切１によって区画される複数の部屋Ｒ１、Ｒ２に対してサウンドマスキング用の音声Ｓを出力するサウンドマスキング用音源２と、天井板５における欄間空間７に対応する部位に設けられ会話や物音等の騒音を吸音する吸音材３とを構成要素とする。
【００１３】
間仕切１は、最上部の面板を外して欄間７を開通させたハイパーティション、または全高が低く天井板５との間に空隙７を生ずるローパーティションである。図示例では、対向する壁面６間のフロアを二つの部屋Ｒ１、Ｒ２に区切っている。
【００１４】
サウンドマスキング用音源２は、他人の会話や作業に伴って発生する物音、各種機器の作動音等をマスキングする効果のある音Ｓを放射するスピーカを主体とする。好適なマスキング音Ｓはピンクノイズ（少なくとも可聴域にて、パワーが周波数に反比例する傾向を有した雑音）、ホワイトノイズ（少なくとも可聴域にて、パワーが周波数によらず略均一な傾向を有した雑音）等であるが、これらノイズに鳥の囀りのような環境音やバックグランドミュージックを重畳した音Ｓを出力しても構わない。スピーカ２は、一部屋につき少なくとも一基設置する。各スピーカ２は、当該スピーカ２を介して出力する音声Ｓを再生するための図示しない音響再生装置、即ちオーディオ機器やパーソナルコンピュータ等と接続している。本実施形態にあって、スピーカ２は、上向きにマスキング音Ｓを発する。そのマスキング音Ｓは、一旦建築スラブに当たって反射し、天井板５の下方の部屋Ｒ１、Ｒ２の広範囲に拡散する。
【００１５】
吸音材３は、欄間空間７を経由して部屋Ｒ１、Ｒ２間を伝わる騒音を吸音、低減する役割を担う。吸音材３は、例えばロックウール、グラスウール、ウレタン発泡材等を素材とする。この吸音材３は、間仕切１の延伸方向に沿って拡張している。騒音の吸音という意味では、吸音材３を幅広く設けた方が効果が高い。一方で、スピーカ２が天井板５の上に存在していることから、吸音材３を大きくし過ぎるとマスキング音Ｓの部屋Ｒ１、Ｒ２内への伝搬を遮ってしまう。そこで、本実施形態では、間仕切１の面板に面する壁６付近に着席姿勢で所在する人Ｈ１が欄間空間７を介して見通すことのできる天井板５の幅Ｌ１、または、間仕切１の面板に面する壁付近６に立位姿勢で所在する人Ｈ２が欄間空間７を介して見通すことのできる天井板５の幅Ｌ２に相当する寸法分だけ、吸音材３を間仕切１の直上から部屋Ｒ１、Ｒ２の内方（換言すれば、間仕切１の面板の法線方向）に向かって広げている。幅寸Ｌ１、Ｌ２をこのように設定することで、一方の部屋Ｒ１／Ｒ２から天井板５に当たって反射する等して他方の部屋Ｒ２／Ｒ１へと伝わる騒音を吸音するのに必要十分な面積の吸音材３を設けることができる。幅寸Ｌ１、Ｌ２は、部屋Ｒ１、Ｒ２の大きさや天井の高さ等にもよるが、一般的には６００ｍｍないし１０００ｍｍである。
【００１６】
加えて、本実施形態では、壁６における欄間空間７に対向した部位にも吸音材４を設けている。尤も、この吸音材４は必須でない。
【００１７】
本実施形態のサウンドマスキング設備によれば、天井板５に当たって反射する等して欄間空間７を経由し一の部屋Ｒ１／Ｒ２から他の部屋Ｒ２／Ｒ１へと伝わる騒音を吸音材３、４が吸音し低減するので、サウンドマスキングシステム単体で用いる場合と比較して、隣の部屋の会話や物音等の了解度が大いに低下する。
【００１８】
前記天井板５において、前記欄間空間７に対応する部位にのみ吸音材３が設けられており、欄間空間７から部屋Ｒ１、Ｒ２の内方に偏倚した部位に吸音材３が設けられていない領域が存在しているため、音源２から発せられたマスキング音Ｓが当該領域を通過して適確に部屋Ｒ１、Ｒ２に伝搬する。つまり、吸音材３の存在によるサウンドマスキング効果の損失が回避される。従って、音源２から出力するマスキング音Ｓのパワーが高くなくとも、十分なサウンドマスキング効果を得られる。
【００１９】
なお、本発明は以上に詳述した実施形態に限られるものではない。図３に示す例では、上向きにではなく下向きにマスキング音Ｓを放射するスピーカ２を、天井板５の上方または近傍に設置している。
【００２０】
また、図４に示す例では、天井板５において、吸音材３を、欄間空間７に対応する部位のみならず、天井板５の広い面積に亘って設けている。そして、吸音材３の一部に穴を開け、下向きにマスキング音Ｓを放射するスピーカ２を、その穴に差し入れるか（スピーカ２の振動板を）対面させるようにして天井板５近傍に設置している。上向きにマスキング音Ｓを放射するスピーカ２を天井裏に設置した場合、天井裏に既設のダクト等の影響によって部屋Ｒ１、Ｒ２の内にマスキング音Ｓが十分に伝わらないことがある。部屋Ｒ１、Ｒ２が狭い等の理由で、スピーカ２を吸音材３から離れた位置に置くことができないケースもある。図３または図４に示す構成をとれば、これらの支障を回避可能である。
【００２１】
図５に示す例では、サウンドマスキング用音源たるスピーカ８を間仕切１の内部にも実装している。間仕切１の内部は空洞であり、スピーカ８はその空洞内にあって下向きにマスキング音Ｓを放射する。間仕切１の空洞は間仕切１の下端部において外部に連通しており、マスキング音Ｓは間仕切１の下端部から部屋Ｒ１、Ｒ２の内に拡散する。空洞におけるスピーカ８よりも上方に位置する領域には、吸音材９を充填している。
【００２２】
また、図５に示す例では、欄間空間７に対応する部位に吸音材３を設けるにあたり、天井板５の下表面に吸音材３を装着するのではなく、天井板５の一部に穴を開けてそこに吸音材３を埋め込んでいる。あるいは、欄間空間７に対応する部位の天井板５を、普通の天井板５から吸音材３を含有した吸音天井板に置き換えるようにしてもよい。
【００２３】
その他各部の具体的構成は、本発明の趣旨を逸脱しない範囲で種々変形が可能である。
【図面の簡単な説明】
【００２４】
【図１】本発明の一実施形態のサウンドマスキング設備を示す斜視図。
【図２】同サウンドマスキング設備を示す正断面図。
【図３】本発明の変形例の一を示す正断面図。
【図４】本発明の変形例の一を示す正断面図。
【図５】本発明の変形例の一を示す正断面図。
【符号の説明】
【００２５】
１…間仕切
２…サウンドマスキング用の音源
３、４…吸音材
５…天井板
６…壁
７…欄間空間
【図１】
2010031501.tif 000003
【図２】
2010031501.tif 000004
【図３】
2010031501.tif 000005
【図４】
2010031501.tif 000006
【図５】
2010031501.tif 000007